(57)【要約】【課題】保管及び使用に便利な内視鏡用の色調整治具を提供する。【解決手段】本発明の電子内視鏡の色調整治具は、柱状の形状をなす治具であって、治具の端部に形成された開口部から電子内視鏡のカラースコープの先端部が挿入される３つの中空部を備える。第１中空部内に臨んで先端部に対向する第１底部はホワイトバランス調整用チャートが載置される。第２中空部内に臨んで先端部に対向する第２底部、及び第３中空部内に臨んで先端部に対向する第３底部は、色調整用チャートが載置される。【選択図】    図２
2005040210.tif 000002
【特許請求の範囲】
【請求項１】
柱状の形状をなす治具であって、前記治具の端部に形成された開口部から電子内視鏡のカラースコープの先端部が挿入される複数の中空部を備え、前記中空部内に臨んで前記先端部に対向する底部にホワイトバランス調整用チャート、色調整用チャートのいずれかが載置される電子内視鏡の色調整治具。
【請求項２】
３つの中空部を備え、第１中空部の第１底部はホワイトバランス調整用チャートが、第２、第３中空部の第２、第３底部は色調整用チャートが載置される請求項１に記載の色調整治具。
【請求項３】
前記開口部の径は、それぞれ前記先端部を挿入した場合に外部から光が射し込まない程度に前記先端部の径よりも僅かに大きい請求項１に記載の色調整治具。
【請求項４】
前記底部の径は、前記開口部の径よりも大きく、前記先端部が前記中空部の中で遊動可能である請求項１に記載の色調整治具。
【請求項５】
前記色調整治具は、内視鏡装置を構成する機器のいずれかに取り付けまたは重置可能な程度の大きさである請求項１に記載の色調整治具。
【請求項６】
柱状の形状をなす治具であって、前記治具の一端部に形成された第１開口部から電子内視鏡のカラースコープの先端部が挿入される第１中空部を備え、前記第１中空部内に臨んで前記先端部に対向する第１底部にホワイトバランス調整用チャートが載置される第１容器と、前記治具の他端部に形成された第２開口部から電子内視鏡のカラースコープの先端部が挿入される第２中空部が形成され、前記第２中空部内に臨んで前記先端部に対向する第２底部に色調整用チャートが載置される第２容器とが、前記第１底部側と前記第２底部側で固定された電子内視鏡の色調整治具。
【請求項７】
柱状の形状をなす治具であって、
前記治具の一端部に形成された第１開口部と、
前記治具の他端部に形成された第２開口部と、
前記第１開口部と前記第２開口部とを貫通し、電子内視鏡のカラースコープの先端部が挿入可能な中空部と、
前記第２開口部近傍に移動可能に支持された蓋体とを備え、
前記蓋体は、一方の面にホワイトバランス調整用チャート、他方の面に色調整用チャートが載置され、前記蓋体の移動により、前記ホワイトバランス調整用チャート、または色調整用チャートのいずれかが前記中空部を介して前記第１開口部から観察可能である電子内視鏡の色調整治具。
【請求項８】
前記蓋体の移動は、前記蓋体の中心を通り前記第２開口部に軸支された回動軸を中心とした回動によることを特徴とする請求項７に記載の電子内視鏡の色調整治具。
【請求項９】
柱状の形状をなす治具であって、
前記治具の一端部に形成された第１開口部と、
前記治具の他端部に形成された第２開口部と、
前記第１開口部と前記第２開口部とを挿通し、電子内視鏡のカラースコープの先端部が挿入可能な中空部と、
ホワイトバランス調整用チャート及び色調整用チャートが同一面上に載置され、前記第２開口部近傍に配置された蓋体と、前記蓋体の前記第２開口部に臨む部分を前記第２開口部と相対移動可能に保持する保持機構とを備え、
前記蓋体の相対移動により、前記ホワイトバランス調整用チャートまたは前記色調整用チャートのいずれかが前記中空部を介して前記第１開口部から観察可能である電子内視鏡の色調整治具。
【請求項１０】
前記保持機構は、前記蓋体の前記ホワイトバランス調整用チャートが載置された面に垂直な回動軸であって、前記蓋体を回動自在に軸支することを特徴とする請求項９に記載の電子内視鏡の色調整治具。
【発明の詳細な説明】
【０００１】
【発明の属する技術分野】
本発明は、電子内視鏡のホワイトバランス調整及び色調整を行う治具に関する。
【０００２】
【従来の技術】
体腔内の観察や検査を行う等、近年医療用分野で広く用いられている内視鏡装置は、撮像部、照明部とを有するカラースコープと、カラースコープの照明部に光を供給する照明用光源部、カラースコープで撮像した信号をカラープリンタ及びカラーモニタで出力可能な信号に変換し伝達するカラープロセッサと、カラープロセッサで変換した信号についてハードコピーを行うカラープリンタと、カラープロセッサで変換した信号についてソフトコピーを行うカラーモニタなどから構成される。
【０００３】
内視鏡装置は、体腔内の観察や検査を行うため、できる限り実物に近い色で撮像及び出力されることが望ましい。従って、カラースコープの特性、照明用光源の特性などを考慮した色調整を行う必要がある。
【０００４】
特許文献１は、複数ある特定の測定板を特定の測定容器に設置し、この測定容器にカラースコープの先端部を挿入し、測定板を観察することでカラースコープやカラープロセッサなどの色調整を行う治具を開示している。
【０００５】
【特許文献１】
特開平５−１３７６９３号公報
【０００６】
【発明が解決しようとする課題】
しかし、この発明では、複数の測定板を用意し、これらを常に持ち合わせておく必要がある。また、測定装置が大きいため、内視鏡とは別に保管する場所が必要になる。従って、実際に色調整を行う必要があるときに、見つからなかったり、紛失していたりするおそれがある。特に、内視鏡装置の使用頻度と色調整を行う頻度の差、さらには、色調整治具の中でも、ホワイトバランスを調整する治具と、他の色調整を行う治具では、使用頻度に差があるため、いずれかの治具だけが見つからない事態が考えられる。
【０００７】
【課題を解決するための手段】
本発明の目的は、保管及び使用に便利な内視鏡用の色調整治具を提供することである。
【０００８】
前記目的を達成するため、本発明の電子内視鏡の色調整治具は、柱状の形状をなす治具であって、前記治具の端部に形成された開口部から電子内視鏡のカラースコープの先端部が挿入される複数の中空部を備え、中空部内に臨んで先端部に対向する底部にホワイトバランス調整用チャート、色調整用チャートのいずれかが載置される。これにより、ホワイトバランス調整用の治具と、他の色調整用治具が一体となり、保管及び使用が便利になる。
【０００９】
好ましくは、３つの中空部を備え、第１中空部の第１底部はホワイトバランス調整用チャートが、第２、第３中空部の第２、第３底部は色調整用チャートを載置される。
【００１０】
また、好ましくは、開口部の径は、それぞれ先端部を挿入した場合に外部から光が射し込まない程度に先端部の径よりも僅かに大きい。
【００１１】
また、好ましくは、底部の径は、開口部の径よりも大きく、先端部が中空部の中で遊動可能である。
【００１２】
また、好ましくは、色調整治具は、内視鏡装置を構成する機器のいずれかに取り付けまたは重置可能な程度の大きさである。
【００１３】
また、電子内視鏡の色調整治具は、柱状の形状をなす治具であって、治具の一端部に形成された第１開口部から電子内視鏡のカラースコープの先端部が挿入される第１中空部を備え、第１中空部内に臨んで先端部に対向する第１底部にホワイトバランス調整用チャートが載置される第１容器と、治具の他端部に形成された第２開口部から電子内視鏡のカラースコープの先端部が挿入される第２中空部が形成され、第２中空部内に臨んで先端部に対向する第２底部に色調整用チャートが載置される第２容器とが、第１底部側と第２底部側で固定される。これにより、ホワイトバランス調整用の治具と、他の色調整の中で特に重要な色調整治具２つが一体となり、保管及び使用がさらに便利になる。
【００１４】
また、電子内視鏡の色調整治具は、柱状の形状をなす治具であって、治具の一端部に形成された第１開口部と、治具の他端部に形成された第２開口部と、第１開口部と第２開口部とを貫通し、電子内視鏡のカラースコープの先端部が挿入可能な中空部と、第２開口部近傍に移動可能に支持された蓋体とを備え、蓋体は、一方の面にホワイトバランス調整用チャート、他方の面に色調整用チャートが載置され、蓋体の移動により、ホワイトバランス調整用チャート、または色調整用チャートのいずれかが中空部を介して第１開口部から観察可能である。これにより、ホワイトバランス調整用の治具と、他の色調整の中で特に重要な色調整治具の１つが一体かつカラースコープの挿入口が１つになり、保管及び使用がさらに便利になる。
【００１５】
好ましくは、蓋体の移動は、蓋体の中心を通り第２開口部に軸支された回動軸を中心とした回動による。
【００１６】
また、電子内視鏡の色調整治具は、柱状の形状をなす治具であって、治具の一端部に形成された第１開口部と、治具の他端部に形成された第２開口部と、第１開口部と第２開口部とを挿通し、電子内視鏡のカラースコープの先端部が挿入可能な中空部と、ホワイトバランス調整用チャート及び色調整用チャートが同一面上に載置され、第２開口部近傍に配置された蓋体と、蓋体の第２開口部に臨む部分を第２開口部と相対移動可能に保持する保持機構とを備え、蓋体の相対移動により、ホワイトバランス調整用チャートまたは色調整用チャートのいずれかが中空部を介して第１開口部から観察可能である。これにより、ホワイトバランス調整用の治具と、他の色調整の中で特に重要な色調整治具１つが一体かつカラースコープの挿入口が１つになり、保管及び使用がさらに便利になる。
【００１７】
好ましくは、保持機構は、蓋体のホワイトバランス調整用チャートが載置された面に垂直な回動軸であって、蓋体を回動自在に軸支する。
【００１８】
【発明の実施の形態】
本発明の実施形態についてカラースコープ及びカラープロセッサのホワイトバランス調整及び色調整で説明する。図１は、本発明で説明する総ての実施形態に係る内視鏡装置を示す。内視鏡装置は、カラースコープ１０と、カラープロセッサ２０と、カラーモニタ４０とを有する。カラースコープ１０は、カラープロセッサ２０の制御により、被写体を撮像し、撮像により得られた電気信号はカラープロセッサ２０によってカラーモニタ４０で出力が可能な画像信号に変換される。変換された画像信号はアナログ信号でカラーモニタ４０に伝達される。伝達された画像信号は、カラーモニタ４０によってソフトコピーすなわち出力（画面表示）される。使用者は、カラーモニタ４０による出力結果により、カラースコープ１０で撮像された被写体映像を観察することができる。
【００１９】
カラースコープ１０は、その先端部１１に、ＣＣＤなどの撮像素子を有する撮像部１１ａと、暗い体腔内の被写体を照明する照明用レンズを有する照明部１１ｂなどから構成され、照明部１１ｂが被写体に適度な光を供給し、撮像部１１ａが被写体を撮像し電気信号に変換する。
【００２０】
カラープロセッサ２０は、ＤＳＰなどの信号処理部２１を有しており、カラースコープ１０で撮像し変換された電気信号を、カラーモニタ４０で出力できる画像信号に変換し、その信号を伝達する。また、カラープロセッサ２０は、光源部２２を有しており、光誘導装置を介して、カラースコープの先端部１１にある照明部１１ｂに光を伝達する。
【００２１】
カラープロセッサ２０は、色調整装置２３を有しており、使用者の操作によってホワイトバランス調整及び色調整を行う。それぞれの調整は、後述する第１色調整治具６０が有するホワイトバランス調整用チャート６１ｃ及び第１、第２色調整用チャート６２ｃ、６３ｃなどを撮像した出力結果を使用者が見て行う。
【００２２】
カラーモニタ４０は、アナログの画像信号を取り込んで表示することが可能な市販のカラーモニタであり、カラースコープ１０で撮像され、カラープロセッサ２０で変換されて伝達された画像信号を、ソフトコピー出力（画面表示）する。
【００２３】
図２は、本発明の第１の実施形態における色調整治具６０の斜視図を示す。図３は、色調整治具６０の透視図を示す。本実施形態では、使用者が色調整治具６０を手で把持しやすいように、色調整治具６０の外形を円柱としているが、他の形状であっても構わない。色調整治具６０は、その端部に形成された第１、第２、第３開口部６１ａ、６２ａ、６３ａからカラースコープ１０の先端部１１が挿入される第１、第２、第３中空部６１、６２、６３を備える。色調整治具６０は、内視鏡装置を構成するいずれかの部分に取り付けまたは重置することが出来る程度の大きさである。
【００２４】
第１中空部６１は、第１開口部６１ａから挿入されるカラースコープ１０の先端部１１と対向する第１底部６１ｂを有する。第１中空部６１の形状は色調整治具６０の中心軸と平行な中心軸を有する円柱、円錐台形状または円柱と円錐台形状の複合形状が望ましいが、カラースコープ１０の先端部１１は、遊動可能であるため、その他の形状であってもかまわない。図示されるように本実施形態では、第１中空部６１の形状は、円柱と円錐台形状の複合形状である。第１開口部６１ａの径は、カラースコープ１０の先端部１１が挿入可能でかつ先端部１１が挿入された場合に外部から光が射し込まない程度にカラースコープ１０の先端部の径よりも僅かに大きい。第１底部６１ｂは、ホワイトバランス調整用チャート６１ｃが載置される。第１底部６１ｂの径は、第１開口部６１ａの径よりも大きく、カラースコープ１０の先端部１１が第１中空部６１の中で遊動可能である。
【００２５】
ホワイトバランス調整用チャート６１ｃは、全面が白色で構成され、これをカラースコープ１０で撮像することにより、カラースコープ１０及びカラープロセッサ２０のホワイトバランスの調整が可能になる。なお、ホワイトバランス調整用チャート６１ｃは、白色の構成に替えて、無彩色である黒あるいは灰色として、明度調整に利用しても良い。
【００２６】
第２、第３中空部６２、６３は、第１中空部６１の構成と同じく、第２、第３開口部６２ａ、６３ａから挿入されるカラースコープ１０の先端部１１と対向する第２、第３底部６２ｂ、６３ｂを有する。第２、第３底部６２ｂ、６３ｂが載置するチャート６２ｃ、６３ｃは色調整用チャートであり第１中空部６１の構成と異なる。第２底部６２ｂの色調整用チャート６２ｃと第３底部６３ｂの色調整用６３ｃは色構成が異なる。
【００２７】
内視鏡装置で撮像される体腔内は、赤色と黄色を主とした構成であるが、インジゴ染色を行った場合には、赤色と黄色に加えて青色を主とした構成となる。従って、２つの色調整用チャート６２ｃ、６３ｃの色構成は、一方が赤色と黄色を主とし、他の一方は赤色と黄色と青色を主とする。これを、具体的に、加法混色の三原色であるＲ（レッド）、Ｇ（グリーン）、Ｂ（ブルー）で説明する。第２底部６２ｂの色調整用チャート６２ｃは、ＲとＢを一定の割合で混ぜ合わせた複数の色票を並べることにより構成されるカラーチャートである。一方、第３底部の色調整用チャート６３ｃは、ＲとＧとＢを一定の割合で混ぜ合わせた複数の色票を並べることにより構成されるカラーチャートである。各色票は同一形状であり、色票の並べ方は、一方向に向かって色票ごとの色調が単調に変化するようなグラデーションを示すと色調整は行いやすい。
【００２８】
第１の実施形態における色調整治具６０を使った、カラースコープ１０及びカラープロセッサ２０のホワイトバランス調整及び色調整を説明する。
【００２９】
まず、カラースコープ１０の先端部１１を、第１開口部６１ａから第１中空部６１に挿入する。先端部１１は、通常使用において、体腔内で被写体を撮像する距離と同等の距離にホワイトバランス調整用チャート６１ｃがあるような位置まで挿入される。カラープロセッサ２０の有する光源部２２の誘導された照明だけで、ホワイトバランス調整用チャート６１ｃを撮像する。カラースコープ１０にて撮像された電気信号は、カラープロセッサ２０において、カラーモニタ４０で出力可能な画像信号に変換される。変換された画像信号をカラーモニタ４０で画面表示する。
【００３０】
使用者は、画面表示された画像をみて、ホワイトバランス調整が出来ているか否かを判断する。ホワイトバランス調整が出来ていない場合には、カラープロセッサ２０の色調整装置２３を操作して、ホワイトバランス調整を行う。オートホワイトバランス調整機能のあるカラープロセッサの場合は、これを自動的に行う。
【００３１】
次に、先端部１１を、第２開口部６２ａから第２中空部６２に挿入する。先端部１１は、通常使用において、体腔内で被写体を撮像する距離と同等の距離に色調整用チャート６２ｃがあるような位置まで挿入される。撮像から画面表示の流れは、第１中空部６１に挿入した場合と同じである。
【００３２】
使用者は、画面表示された画像をみて、色調整のうち、赤色と黄色のバランスが調整出来ているか否かを判断する。調整が出来ていない場合には、カラープロセッサ２０の色調整装置２３を操作して、色調整を行う。具体的には、主に色調整装置２３の有する赤色の強弱を調整することにより行う。
【００３３】
次に、先端部１１を、第３開口部６３ａから第３中空部６３に挿入する。先端部１１が挿入される位置、撮像から画面表示の流れは、第２中空部６２に挿入した場合と同じである。
【００３４】
使用者は、画面表示された画像をみて、色調整のうち、赤色と黄色と青色のバランスが調整出来ているか否かを判断する。調整が出来ていない場合には、カラープロセッサ２０の色調整装置２３を操作して、色調整を行う。具体的には、主に色調整装置２３の有する青色の強弱を調整することにより行う。
【００３５】
これにより、カラースコープ１０及びカラープロセッサ２０の、ホワイトバランス調整、及び色調整が１つの色調整治具で可能になる。従って、治具の保管及び使用が便利である。
【００３６】
次に、第２の実施形態について説明する。内視鏡装置の構成は第１の実施形態と同じである。第２の実施形態では、色調整治具６０の代わりに、色調整治具７０を用いる。
【００３７】
図４は、本発明の第２の実施形態における色調整治具７０の斜視図を示す。図５は、色調整治具７０の透視図を示す。色調整治具７０は、第１、第２容器７１、７２を有する。図示するように、本実施形態では、使用者が色調整治具７０を手で把持しやすいように、第１、第２容器７１、７２の外形を同じ円柱としているが、他の形状であっても構わない。第１、第２容器７１、７２は、内視鏡を構成するいずれかの部分に取り付けまたは重置することが出来る程度の大きさである。
【００３８】
第１容器７１は、その端部に形成された第１開口部７１ｂからカラースコープ１０の先端部１１が挿入される第１中空部７１ａを備える。第１中空部７１ａは、第１開口部７１ｂから挿入されるカラースコープ１０の先端部１１と対向する第１底部７１ｃを有する。第１中空部７１ａの形状の条件は、第１の実施形態における第１中空部６１の条件と同じである。第１開口部７１ｂの径の条件は、第１の実施形態における第１開口部６１ａの条件と同じである。第１底部７１ｃは、ホワイトバランス調整用チャート７１ｄが載置される。第１底部７１ｃの径は、第１開口部７１ｂの径よりも大きく、先端部１１が第１中空部７１ａの中で遊動可能である。ホワイトバランス調整用チャート７１ｄの構成は、第１の実施形態におけるホワイトバランス調整用チャート６１ｃの構成と同じである。
【００３９】
第２容器７２は、その端部に形成された第２開口部７２ｂからカラースコープ１０の先端部１１が挿入される第２中空部７２ａを備える。第２中空部７２ａは、第２開口部７２ｂから挿入されるカラースコープ１０の先端部１１と対向する第２底部７２ｃを有する。第２中空部７２ａの形状の条件は、第１の実施形態における第１中空部６１の条件と同じである。第２開口部７２ｂの径の条件は、第１の実施形態における第１開口部６１ａの条件と同じである。第２底部７２ｃは、色調整用チャート７２ｄを載置する。第２底部７２ｃの径は、第２開口部７２ｂの径よりも大きく、先端部１１が第２中空部７２の中で遊動可能である。色調整用チャート７２ｄの構成は、第１の実施形態における色調整用チャート６２ｃと同じである。
【００４０】
第１容器７１と第２容器７２は、第１底部７１ｃ側と第２底部７２ｃ側で固定される。従って、図示される本実施形態のように第１容器７１と第２容器７２の形状を同一にした場合には、色調整用治具７０は一体形状となる。
【００４１】
第２の実施形態における色調整治具７０を使った、カラースコープ１０及びカラープロセッサ２０のホワイトバランス調整及び色調整の手順は、第１開口部７１ｂから第１中空部７１ａに先端部１１を挿入してホワイトバランスの調整を行う点、第２開口部７２ｂから第２中空部７２ａに先端部１１を挿入して色調整を行う点で、第１の実施形態と同様である。カラープロセッサ２０の色調整装置２３の操作手順も第１の実施形態と同様である。但し、色調整は色調整用チャート７２ｄの一種類しか行わない。
【００４２】
しかし、内視鏡装置で撮像される体腔内は、主に赤色と黄色で構成されるので、第２の実施形態のホワイトバランス調整及び色調整を行うだけでも簡易的に色調整を行うことが可能である。さらに、第１の実施形態に比べて、容器外形の径を小さくすることができるメリットがある。
【００４３】
次に、第３の実施形態について説明する。内視鏡装置の構成は第１の実施形態と同じである。第３の実施形態では、色調整治具６０の代わりに、色調整治具８０を用いる。
【００４４】
図６は、本発明の第３の実施形態における色調整治具８０の斜視図を示す。図７は、色調整治具８０の透視図を示す。図示するように、本実施形態では、容器の外形の条件は、第１の実施形態と同様である。色調整治具８０は、その両端部に形成された第１、第２開口部８１ａ、８１ｂを貫通し、カラースコープ１０の先端部１１が挿入可能な中空部８１を備える。中空部８１の形状の条件は、第１の実施形態における第１中空部６１の条件と同様である。色調整治具８０は、第２開口部近傍に移動可能に支持される回動蓋体８１ｅを備える（図７の矢印参照）。図８、９に回動蓋体８１ｅの斜視図を示す。回動方向は逆でもかまわない。
【００４５】
第１開口部８１ａの径の条件は、第１の実施形態における第１開口部６１ａと同様である。第２開口部８１ｂの径は、第１開口部８１ａの径よりも大きく、カラースコープ１０の先端部１１が中空部８１の中で遊動可能である。回動蓋体８１ｅは、一方の面にホワイトバランス調整用チャート８１ｃを、他の一方の面に色調整用チャート８１ｄを載置する（図８、９参照）。回動蓋体８１ｅは、蓋体を構成する円形上であって円形の中心を通る回動軸８１ｆを有する（図８、９では図示せず、図７参照）。回動蓋体８１ｅは、回動軸８１ｆで第２開口部８１ｂに軸支される。回動軸８１ｆを中心とした回動蓋体８１ｅの回動により回動蓋体８１ｅを構成するいずれかの面が、中空部８１側に向かって第２開口部８１ｂと密着する。従って、第２開口部８１ｂと回動蓋体８１ｅの外形は同一形状である。この密着により、回動蓋体８１ｅを構成するいずれかの面が有するホワイトバランス調整用チャート８１ｃ、又は色調整用チャート８１ｄが、中空部８１を介して第１開口部８１ａから、観察可能である。ホワイトバランス調整用チャート８１ｃの構成は、第１の実施形態におけるホワイトバランス調整用チャート６１ｃの構成と同じである。色調整用チャート８１ｄの構成は、第１の実施形態における色調整用チャート６２ｃと同じである。
【００４６】
第３の実施形態における色調整治具８０を使った、カラースコープ１０及びカラープロセッサ２０のホワイトバランス調整及び色調整の手順は、第１開口部８１ａから中空部８１にカラースコープ１０の先端部１１を挿入してホワイトバランスの調整を行う点で、第１の実施形態と同様である。但し、第３の実施形態では、同じ中空部８１にカラースコープ１０の先端部１１を挿入したままで、色調整も行うことが出来る点で異なる。すなわち、ホワイトバランス調整を行う場合は、第２開口部８１ｂに軸支された回動蓋体８１ｅを回動させ、中空部８１側から、ホワイトバランス調整用チャート８１ｃが観察出来るようにする。また、色調整を行う場合は、回動蓋体８１ｅを回動軸８１ｆ中心に反転させ、中空部８１側から、色調整用チャート８１ｄが観察出来るようにする。カラープロセッサ２０の色調整装置２３の操作手順は第１の実施形態と同じである。但し、色調整は色調整用チャート８１ｄの一種類しか行わない。
【００４７】
しかし、内視鏡装置で撮像される体腔内は、主に赤色と黄色で構成されるので、第３の実施形態のホワイトバランス調整及び色調整を行うだけでも簡易的に色調整を行うことが可能である。さらに、第１の実施形態に比べて、容器外形の径を小さくすることができるメリットがある。また、第２の実施形態に比べても、容器外形の径を小さくすることができるメリットがある。
【００４８】
なお、上記回動蓋体８１ｅに替えて、板状の蓋体の両面にホワイトバランス調整用チャート８１ｃ、及び色調整用チャート８１ｄを載置した板状蓋体を第２開口部８１ｂと垂直な方向に移動して挿脱可能な構成とし、板状蓋体の表裏を切り替えて使用する構成としてもよいが、この場合は、板状蓋体が色調整治具８０と分離するので、保管上、操作上の観点から、上述の第３実施形態のように回動蓋体による構成の方が好ましい。
【００４９】
次に、第４の実施形態について説明する。内視鏡装置の構成は第１の実施形態と同じである。第４の実施形態では、色調整治具６０の代わりに、色調整治具９０を用いる。
【００５０】
図１０は、本発明の第４の実施形態における色調整治具９０の斜視図を示す。
図１１は、色調整治具９０の透視図を示す。図１２は、色調整治具９０のうち、回動蓋体９１ｆと回動軸９１ｇの部分の斜視図を示す。図示するように本実施形態では、色調整治具９０の外形の条件は第１の実施形態と同様である。色調整治具９０は、その両端部に形成された第１、第２開口部９１ａ、９１ｂを貫通し、カラースコープ１０の先端部１１が挿入可能な中空部９１を備える。中空部９１の形状の条件は、第１の実施形態における第１中空部６１の条件と同様である。
色調整治具９０は、第２開口部を臨む部分を有する回動蓋体９１ｆと、回動蓋体９１ｆの第２開口部９１ｂに臨む部分を第２開口部９１ｂと相対移動可能に保持する保持機構すなわち回動軸９１ｇを備える。
【００５１】
第１開口部９１ａの径の条件は、第１の実施形態における第１開口部６１ａの条件と同じである。第２開口部９１ｂの径の条件は、第１の実施形態における第１底部６１ｂの条件と同じである。
【００５２】
回動蓋体９１ｆは、ホワイトバランス調整用チャート９１ｃ、第１、第２色調整用チャート９１ｄ、９１ｅを同一面上に載置する。回動軸９１ｇは、ホワイトバランス調整用チャート９１ｃを載置する面と垂直な回動軸であり、色調整治具９０の中心軸と同じ位置にある。回動蓋体９１ｆは、ホワイトバランス調整用チャート９１ｃを載置する面を中空部９１側にして回動軸９１ｇに軸支される。回動蓋体９１ｆは、回動軸９１ｇを中心に回動可能である（図１０、図１１、図１２の矢印参照）。回動方向は逆でもかまわない。
【００５３】
第２開口部９１ｂと、ホワイトバランス調整用チャート９１ｃ、第１、第２色調整用チャート９１ｄ、９１ｅ、回動蓋体９１ｆ、及び回動軸９１ｇの位置関係は、回動蓋体９１ｆの回動軸９１ｇを中心とした回動により、第２開口部９１ｂの中にホワイトバランス調整用チャート９１ｃ、または第１色調整用チャート９１ｄ、または第２色調整用チャート９１ｅのいずれか１つが含まれ、これが中空部９１を介して第１開口部９１ａ側から観察可能になるように配置する。具体的には、ホワイトバランス調整用チャート９１ｃと、第１、第２色調整用チャート９１ｄ、９１ｅを、回動蓋体９１ｆと回動軸９１ｇの交点を中心とした同心円上であって、互いに等距離にある位置に配置する。チャート９１ｃ、９１ｄ、９１ｅのそれぞれは、第２開口部９１ｂの外形と同一かそれよりも小さくする。第２開口部９１ｂは、チャート９１ｃ、９１ｄ、９１ｅのいずれかだけが含まれる位置に配置する（図１１参照）。図１１は、ホワイトチャート９１ｃが第２開口部９１ｂに含まれる状態を示す。
【００５４】
第４の実施形態における色調整治具９０を使った、カラースコープ１０及びカラープロセッサ２０のホワイトバランス調整及び色調整の手順は、第１開口部９１ａから中空部９１にカラースコープ１０の先端部１１を挿入してホワイトバランスの調整を行う点で、第１の実施形態と同様である。但し、第４の実施形態では、同じ中空部９１にカラースコープ１０の先端部１１を挿入したままで、色調整も行うことが出来る点で異なる。すなわち、回動蓋体９１ｆを回動させて、ホワイトバランス調整を行う場合は、第２開口部９１ｂ内にホワイトバランス調整用チャート９１ｃが入るようにし、中空部９１を介して第１開口部９１ａ側から、ホワイトバランス調整用チャート９１ｃが観察出来るようにする。また、色調整を行う場合は、回動蓋体９１ｆをさらに回動させ、第２開口部９１ｂ内に色調整用チャート９１ｄ、９１ｅのいずれかが入るようにし、中空部９１を介して第１開口部９１ａ側から、第１、第２色調整用チャート９１ｄ、９１ｅのいずれかが観察出来るようにする。カラープロセッサ２０の色調整装置２３の操作手順は第１の実施形態と同様である。
【００５５】
これにより、第１の実施形態と同じように、ホワイトバランス調整及び２種類の色調整を行うことが可能になる。さらに、第１の実施形態に比べて、カラースコープ１０の先端部１１の挿入をしたまま、３種類の色調整などが可能になる点で、操作が簡単になるメリットがある。
【００５６】
なお、第４実施形態においても、上記回動軸９１ｇに替えて、ホワイトバランス調整用チャート９１ｃ及び色調整用チャート９１ｄ、９１ｅを同一面上に載置した板状蓋体を第２開口部９１ｂと平行な方向に移動可能な構成とし、第２開口部９１ｂに臨むチャートが移動可能な保持機構としてもよい。しかし、この場合使用していないホワイトバランス調整用チャート９１ｃ、及び色調整用チャート９１ｄ、９１ｅの内いずれかのチャート部分が突出して大型化するため、上述の第４実施形態のように、回動蓋体９１ｆ、回動軸９１ｇによる構成の方が好ましい。
【００５７】
なお、本発明の実施形態では、カラースコープ１０及びカラープロセッサ２０のホワイトバランス調整及び色調整の手順を説明したが、カラーモニタ４０とカラープリンタの間での色調整についても、色調整治具６０、７０、８０、９０を使うと同様の効果が得られる。
【００５８】
また、本発明の実施形態では、ホワイトバランス調整及び色調整のチャートを用いた調整手順を説明したが、このチャートを白と黒のグラデーションを構成するチャートを用いることによって、ガンマ補正や明るさ、暗さの調整をすることも可能である。要するに、本発明の調整治具を使用することにより、内視鏡装置の映像特性に関する調整が簡易に効果的に行うことが可能になる。
【００５９】
【発明の効果】
以上により、保管及び使用に便利な内視鏡用の色調整治具を提供することが可能になる。
【図面の簡単な説明】
【図１】第１の実施形態における内視鏡装置の構成図を示す。
【図２】第１の実施形態における色調整治具の斜視図を示す。
【図３】第１の実施形態における色調整治具の透視図を示す。
【図４】第２の実施形態における色調整治具の斜視図を示す。
【図５】第２の実施形態における色調整治具の透視図を示す。
【図６】第３の実施形態における色調整治具の斜視図を示す。
【図７】第３の実施形態における色調整治具の透視図を示す。
【図８】第３の実施形態における回動蓋体の一方の面からみた斜視図を示す。
【図９】第３の実施形態における回動蓋体のもう一方の面からみた斜視図を示す。
【図１０】第４の実施形態における色調整治具の斜視図を示す。
【図１１】第４の実施形態における色調整治具の透視図を示す。
【図１２】第４の実施形態における回動蓋体と回動軸の斜視図を示す。
【符号の説明】
１０  カラースコープ
２０  カラープロセッサ
４０  カラーモニタ
６０、７０、８０、９０  色調整治具
【図１】
2005040210.tif 000003
【図２】
2005040210.tif 000004
【図３】
2005040210.tif 000005
【図４】
2005040210.tif 000006
【図５】
2005040210.tif 000007
【図６】
2005040210.tif 000008
【図７】
2005040210.tif 000009
【図８】
2005040210.tif 000010
【図９】
2005040210.tif 000011
【図１０】
2005040210.tif 000012
【図１１】
2005040210.tif 000013
【図１２】
2005040210.tif 000014